(57)【要約】【課題】  光照射部又は外光から光受光部に直接的に光が入射することを極力低下させ、Ｓ／Ｎ比の向上を図ること。【解決手段】  本体２と、該本体２の下面２ａを生体表面側に向けた状態で該本体２を腕に固定する固定手段３と、生体表面に接触した状態で生体に向けて光を照射する光発光部４と、該光発光部４により照射された光のうち生体からの後方散乱光を受光すると共に受光量に応じた生体情報信号を生成する光受光部５とを有して本体２の下面２ａに設けられた生体センサ部６と、本体２に設けられ、生体情報信号に基づいて生体情報を算出する生体情報演算部７とを備え、光発光部４と光受光部５との間には光発光部４から照射された光が直接光受光部５に入射することを防止する光遮蔽部２７が設けられている生体情報計測装置１を提供する。【選択図】  図６
2005270545.tif 000002
【特許請求の範囲】
【請求項１】
本体と、
該本体の下面を生体表面側に向けた状態で該本体を腕に固定する固定手段と、
前記生体表面に接触した状態で生体に向けて光を照射する光発光部と、該光発光部により照射された光のうち生体からの後方散乱光を受光すると共に受光量に応じた生体情報信号を生成する光受光部とを有して前記本体の下面に設けられた生体センサ部と、
前記本体に設けられ、前記生体情報信号に基づいて生体情報を演算する生体情報演算部とを備え、
前記光発光部と前記光受光部との間には光発光部から照射された光が直接光受光部に入射することを防止する光遮蔽部が設けられていることを特徴とする生体情報計測装置。
【請求項２】
請求項１に記載の生体情報計測装置において、
前記生体センサ部は、前記本体の下面の略中心に配されており、
前記本体の下面には、該下面と前記生体表面まで生体組織を伝搬してくる外光を、下面の中心から下面の外縁部に向けて反射させる反射溝が形成されていることを特徴とする生体情報計測装置。
【請求項３】
請求項２に記載の生体情報計測装置において、
前記反射溝は、前記本体の下面の中心から下面の外縁部に向けて面が傾いた反射面を有していることを特徴とする生体情報計測装置。
【請求項４】
請求項３に記載の生体情報計測装置において、
前記反射面は、前記生体センサ部を中心とする円形に形成され、
前記反射溝は、前記生体センサ部を中心として前記反射面を半径方向に複数有していることを特徴とする生体情報計測装置。
【請求項５】
請求項３に記載の生体情報計測装置において、
前記反射面は、前記生体センサ部を中心として螺旋状に形成されていることを特徴とする生体情報計測装置。
【請求項６】
請求項１から５のいずれか１項に記載の生体情報計測装置において、
前記本体の下面は、該下面と前記生体表面まで前記生体組織を伝搬してくる外光を反射率１０％以下で反射させる黒色部材で形成されていることを特徴とする生体情報計測装置。
【発明の詳細な説明】
【技術分野】
【０００１】
本発明は、手首（腕）に装着した状態で脈拍数等の生体情報を測定することができる生体情報計測装置に関するものである。
【背景技術】
【０００２】
近年の健康管理への関心の高まりにより、手首（腕）等に装着したまま脈拍数等の様々な生体情報を計測することができる生体情報計測装置が各種提供されている（例えば、特許文献１参照）。
【０００３】
この種の生体情報計測装置のうち、例えば、脈拍数を算出するものは、手首に装着した状態で、生体に向けて光を照射すると共に、脈拍センサ等により血管中の血液からの後方散乱光を受信して、該後方散乱光から脈拍信号を抽出して脈拍数を算出している。特に、手首に装着したまま容易に脈拍数の測定が行えるので、使用者に簡便に使用されている。
【特許文献１】特開２００１−７８９７３号公報（段落番号００１１−００３１、図１−図７）
【発明の開示】
【発明が解決しようとする課題】
【０００４】
上記生体情報計測装置は、例えば、ＬＥＤ（Light Emitting Diode）等の光照射部から生体に向けて光を照射すると共に、ＰＤ（Photo Diode）等の光受光部にて生体からの後方散乱光を受光し、この後方散乱光の受光量に基づいて脈拍等の生体情報の検出を行っている。
【０００５】
ところが、ＰＤは、生体からの後方散乱光を受光する際に、ＬＥＤから照射された光の一部を直接受光する可能性があった。この直接入射した光は、生体からの情報が何ら含まれていないので、ノイズ（雑音）が増しＳ／Ｎ比の低下および検出電圧の飽和を招くものであった。このため、生体情報を正確に検出できない恐れがあった。
【０００６】
また、生体情報計測装置を手首に確実に装着したとしても、屋外などの強い太陽光のもとでは、ＬＥＤやＰＤが配されている本体の下面と生体表面まで、生体組織を伝搬してくる外光が十分に減衰されない状態でＰＤに入射する可能性があった。この外光は、上述したと同様に、Ｓ／Ｎ比の低下を招くものであった。
【０００７】
本発明は、このような事情に考慮してなされたもので、その目的は、光照射部又は生体組織を伝搬する外光から光受光部に直接的に光が入射することを極力低下させ、Ｓ／Ｎ比の向上を図ることができる生体情報計測装置を提供することである。
【課題を解決するための手段】
【０００８】
本発明は、前記課題を解決するために以下の手段を提供する。
【０００９】
本発明の生体情報計測装置は、本体と、該本体の下面を生体表面側に向けた状態で該本体を腕に固定する固定手段と、前記生体表面に接触した状態で生体に向けて光を照射する光発光部と、該光発光部により照射された光のうち生体からの後方散乱光を受光すると共に受光量に応じた生体情報信号を生成する光受光部とを有して前記本体の下面に設けられた生体センサ部と、前記本体に設けられ、前記生体情報信号に基づいて生体情報を演算する生体情報演算部とを備え、前記光発光部と前記光受光部との間には光発光部から照射された光が直接光受光部に入射することを防止する光遮蔽部が設けられていることを特徴とするものである。
【００１０】
この発明に係る生体情報計測装置においては、固定手段により、本体の下面を生体表面側に向けて該本体を手首(腕)に装着した後、光発光部から生体に向けて光を照射する。照射された光は、生体内で脂肪や筋といった組織や血液により吸収および散乱され、照射された光の一部が後方散乱光として光受光部で検出される。検出される光は、脈動による血液量の変化に伴い変動する。光受光部は、この後方散乱光を受光すると共に受光量の変化に応じた脈拍信号（生体情報信号）を生成する。そして、生体情報演算部により、生体情報信号を所定処理して脈拍数等の生体情報の検出を行える。
【００１１】
この生体情報の検出の際、光発光部と光受光部との間には、光遮蔽部が設けられているので、光発光部から照射された光は、光受光部に直接入射することがなく、確実に生体に向けて照射される。従って、光受光部は、生体からの後方散乱光を集中的に集光できる。従って、Ｓ／Ｎの向上が図れ、より正確に生体情報の検出を行うことができる。
【００１２】
また、本発明の生体情報計測装置は、上記本発明の生体情報計測装置において、前記生体センサ部は、前記本体の下面の略中心に配されており、前記本体の下面には、該下面と前記生体表面まで前記生体組織中を伝搬してくる外光を、下面の中心から下面の外縁部に向けて反射させる反射溝が形成されていることを特徴とするものである。
【００１３】
この発明に係る生体情報計測装置においては、本体を手首(腕)に装着して生体情報の検出を行っている際に、屋外などの強い太陽光のもとで生体組織中を伝搬してくる外光が大きくなったとしても、反射溝によって再び入射側である外縁部に向けて反射される。従って、生体センサ部に直接的に外光が入射することを極力防止することができる。つまり、光受光部は、外光の影響がない状態で集中的に生体からの後方散乱光を受光できる。よって、Ｓ／Ｎの向上が図れ、より正確に生体情報の検出を行うことができる
また、本発明の生体情報計測装置は、上記本発明の生体情報計測装置において、前記反射溝は、前記本体の下面の中心から下面の外縁部に向けて面が傾いた反射面を有していることを特徴とするものである。
【００１４】
この発明に係る生体情報計測装置においては、本体下面と生体表面まで生体組織中を伝搬してきた外光は、本体の外縁部から中心に向けて本体下面と生体表面との間で反射を繰り返しながら、反射面によって再度外縁部に向けて確実に反射される。従って、光受光部に外光が直接的に入射することをより確実に防止することができる。
【００１５】
また、本発明の生体情報計測装置は、上記本発明の生体情報計測装置において、前記反射面は、前記生体センサ部を中心とする円形に形成され、前記反射溝は、前記生体センサ部を中心として前記反射面を半径方向に複数有していることを特徴とするものである。
【００１６】
この発明に係る生体情報計測装置においては、生体センサ部を中心として、円形の反射面が半径方向に複数形成されているので、より確実に外光の入射を防止することができる。即ち、外縁部に入射した光は、最も外縁部側に形成された反射面によって外縁部側に反射されて、光強度が低下する。この反射面を通過した光は、次の反射面によって同様に外縁部側に反射されて、さらに光強度が低下する。このように、本体の中心に向かうに従って、段階的に外光の光強度を低下させるので、生体センサ部に対してより確実に外光の入射を防止することができる。
【００１７】
また、本発明の生体情報計測装置は、上記本発明の生体情報計測装置において、前記反射面は、前記生体センサ部を中心として螺旋状に形成されていることを特徴とするものである。
【００１８】
この発明に係る生体情報計測装置においては、生体センサ部を中心として、反射面が螺旋状に形成されているので、外縁部に入射した光は、最も外縁部側に形成された反射面によって外縁部側に反射されて、光強度が低下する。この反射面を通過した光は、次の反射面によって同様に外縁部側に反射されて、さらに光強度が低下する。このように、本体の中心に向かうに従って、段階的に外光の光強度を低下させるので、生体センサ部に対してより確実に外光の入射を防止することができる。また、螺旋状であるので、反射面を形成し易い。
【００１９】
また、本発明の生体情報計測装置は、上記本発明のいずれか１つに記載の生体情報計測装置において、前記本体の下面は、該下面と前記生体表面との間に入射してくる外光を反射率１０％以下で反射させる黒色部材で形成されていることを特徴とするものである。
【００２０】
この発明に係る生体情報計測装置においては、本体下面と生体表面まで生体組織を伝搬してくる外光、即ち、本体の外縁部から中心に向けて生体組織を伝搬してきた光は、本体下面と生体表面との間で反射を繰り返し、本体下面で反射する毎に光強度が低下する。従って、確実に外光の入射の防止を図ることができる。
【発明の効果】
【００２１】
本発明に係る生体情報計測装置によれば、生体情報の検出の際、光発光部と光受光部との間には、光遮蔽部が設けられているので、光発光部から照射された光は、光受光部に直接入射することがなく、確実に生体に向けて照射される。従って、光受光部は、生体からの後方散乱光を集中的に集光できるので、Ｓ／Ｎの向上が図れ、より正確に生体情報の検出を行うことができる。
【発明を実施するための最良の形態】
【００２２】
以下、本発明に係る生体情報計測装置の一実施形態を、図１から図７を参照して説明する。
【００２３】
本実施形態の生体情報計測装置１は、図１から図７に示すように、腕時計型であって手首（腕）Ａに装着した状態で、生体情報である脈拍数を算出するものである。  
【００２４】
この生体情報計測装置１は、各種の電気部品及び電子部品を内蔵したハウジング（本体）２と、ハウジング２の下面２ａを生体表面Ｂ側に向けた状態でハウジング２を手首Ａに装着する固定手段３とを備えている。
【００２５】
このハウジング２の下面２ａには、生体表面Ｂ側に接触した状態で生体に向けて光を照射するＬＥＤ（Light Emitting Diode）（光発光部）４と、該ＬＥＤ４により照射された光のうち生体からの後方散乱光を受光すると共に受光量に応じた脈拍信号（生体情報信号）を生成するＰＤ（Photo Diode）（光受光部）５とを有する生体センサ部６が配されている。この生体センサ部６は、ハウジング２の下面２ａの略中心に配されている。
【００２６】
また、ハウジング２内には、生成された脈拍信号に基づいて脈拍数を算出するデータ処理部（生体情報演算部）７が設けられている。
【００２７】
上記ハウジング２は、図１に示すように、プラスチックやアルミニウム等の金属材料からなり、所定の厚みをもって、例えば、上面視略長方形状に形成されている。ハウジング２の上面２ｂの中央部分には、略正方形状のカバーガラス１０が嵌め込まれており、該カバーガラス１０の内側には、算出された上記脈拍数やその他各種の情報を表示する表示部１１が配されている。
【００２８】
また、ハウジング２内には、図５及び図６に示すように、メイン基板１２が設けられており、該メイン基板１２に上記データ処理部７、上記表示部１１、充電可能な充電池１３、脈拍数を記録するメモリ１４、サブ基板１５及びその他各種の電子部品が実装又は配線等により電気的に接続されている。
【００２９】
上記データ処理部７は、ＣＰＵ等のＩＣ部品を含むものであり、ＰＤ５により生成された脈拍信号を一旦アンプ等により増幅した後に、高速フーリエ変換処理（ＦＦＴ処理）等の所定処理を行い、その処理結果を解析することにより脈拍数を算出する機能を有している。また、データ処理部７は、算出した脈拍数をメモリ１４に記録すると共に、後述する各ボタン２０からの入力に基づいて表示部１１に表示させるようになっている。更に、データ処理部７は、他の構成品を総合的に制御する機能も有している。
【００３０】
上記表示部１１は、例えば、ＬＣＤ（Liquid Crystal Display）等の液晶表示器であり、上述した脈拍数以外に、例えば、図示しない水晶振動子によりカウントされた時刻を表示する時刻表示機能やその他の各種情報を表示する機能を有している。例えば、時刻、日付、曜日や充電池１３の残電力量等を表示できるようになっている。
【００３１】
また、ハウジング２には、図１に示すように、複数のボタン２０、例えば、ハウジング２の上面２ｂであって表示部１１の下側に配された３つのボタン２０及びハウジング２の側面に配された１つのボタン２０が設けられている。これら各ボタン２０を押下することで、各種操作ができるようになっている。例えば、脈拍数の計測開始、計測停止や、脈拍数と時刻との表示切替や、メモリ１４内に記録されている脈拍数データを外部の機器にデータ送信する等の操作ができるようになっている。
【００３２】
更に、ハウジング２の側面には、上記充電池１３に充電器等の外部から電力を供給して充電させる外部接続端子（充電手段）２１が設けられている。なお、外部接続端子２１を覆うようにカバー等を取り付けて、外部接続端子２１を保護しても構わない。こうすることで、外部接続端子２１を水滴や埃等から保護することが可能となり、より好適である。また、外部接続端子２１に限らず、充電器及びハウジング２内にそれぞれ電力を供給するためのトランス等を設け、非接触状態で充電池１３の充電を行うように構成しても構わない。
【００３３】
また、ハウジング２の下面２ａの中心には、図６に示すように、外部とハウジング２の内部を貫通させる貫通孔２２が形成されており、該貫通孔２２を塞ぐようにカバーガラス２３がハウジング２に固定されている。そして、カバーガラス２３の内側に接するように、上記ＬＥＤ４及びＰＤ５がハウジング２の長手方向に直交する方向に、互いに隣接するように配されている。この際、ＬＥＤ４及びＰＤ５は、上記サブ基板１５に電気的に接続されたフレキシブル基板２４の一端側に実装されており、サブ基板１５と電気的に接続されている。また、ＰＤ５により生成された脈拍信号は、フレキシブル基板２４、サブ基板１５及びメイン基板１２を介して、上記データ処理部７に送られるようになっている。
【００３４】
また、ＬＥＤとＰＤとの間には、図２及び図６に示すように、ＬＥＤから照射された光が直接ＰＤに入射することを防止する光遮蔽板（光遮蔽部）２７が設けられている。この光遮蔽板２７は、プラスチックやアルミ等の金属により板状に形成され、カバーガラス２３に接するようにフレキシブル基板２４上に設けられている。なお、光遮蔽板２７は、フレキシブル基板２４に接するようにカバーガラス２３の内面に設けられても構わない。
【００３５】
また、本実施形態の生体センサ部６は、図２、図５及び図６に示すように、上記ＬＥＤ４及びＰＤ５が生体表面Ｂに接触しているか否かを検出する接触検出手段３０を備えている。
【００３６】
この接触検出手段３０は、一対の電極３０ａ、３０ｂを有しており、該一対の電極３０ａ、３０ｂはＬＥＤ４及びＰＤ５を間に挟んだ状態でハウジング２の下面２ａに配されている。即ち、一対の電極３０ａ、３０ｂ、ＬＥＤ４及びＰＤ５は、ハウジング２の長手方向に直交する方向に一列に並ぶように配されている。また、一対の電極３０ａ、３０ｂは、その先端がハウジング２の下面２ａから若干突出するように設けられていると共に、基端側がサブ基板１５に電気的に接続するように設けられている。
【００３７】
この一対の電極３０ａ、３０ｂは、電極間の電位差に基づいて生体表面Ｂに接触しているか否かを検出する機能を有している。データ処理部７は、この検出結果を受けて、例えば、生体表面Ｂに接触していると検出されたときに、ＬＥＤ４から光を照射するようにＬＥＤ４の作動を制御するように設定されている。なお、この場合だけに限らず、例えば、生体表面Ｂに接触していないことが検出されたときに、ＦＦＴ処理を行なわないように設定しても構わない。
【００３８】
また、上記ハウジング２の下面２ａには、図２、図５、図６及び図７に示すように、ハウジング２を手首Ａに装着したときに、該下面２ａと生体表面Ｂとの間に入射してくる外光を、下面２ａの中心から外縁部２ｃに向けて反射させる反射溝３５が形成されている。この反射溝３５は、生体センサ部６を中心とする円形に形成されると共に、ハウジング２の下面２ａから外縁部２ｃに向けて面が傾くように形成された反射面３６を、半径方向に向けて複数有している。
【００３９】
上記固定手段３は、図１に示すように、ハウジング２に基端側が取り付けられて手首Ａに装着可能な第１のバンド４０及び第２のバンド４１を有している。第１のバンド４０及び第２のバンド４１は、ハウジング２の長手方向に、該ハウジング２を挟んで対向するように設けられている。
【００４０】
上記第１のバンド４０には、先端にバックル４０ａ及びタング４０ｂが取り付けられている。また、第２のバンド４１には、上記タング４０ｂが挿入される挿入孔４１ａが該第２のバンド４１の長手方向に沿って複数形成されている。これにより、使用者の手首Ａの太さに応じて第１のバンド４０及び第２のバンド４１の長さを調整することができるようになっている。
【００４１】
このように構成された生体情報計測装置１により、手首Ａに装着した状態で脈拍数を算出する場合について説明する。
【００４２】
まず、図３及び図４に示すように、使用者の手首Ａを巻回するよう両バンド４０、４１を巻き、手首Ａの大きさに応じて第１のバンド４０のタング４０ｂを第２のバンド４１の挿入孔４１ａに挿入し、ハウジング２を手首Ａに装着する。ハウジング２が手首Ａに装着されると、生体表面Ｂとハウジング２の下面２ａとが密着した状態となる。
【００４３】
生体表面Ｂがハウジング２の下面２ａに接触すると、一対の電極３０ａ、３０ｂが生体表面Ｂに接触する。特に、一対の電極３０ａ、３０ｂは、ハウジング２の下面２ａよりも若干突出するように配されているので、生体表面Ｂに接触し易い。一対の電極３０ａ、３０ｂが、生体表面Ｂに接触すると、生体表面Ｂを通して放電が行なわれ両電極間の電圧が低下する。この電圧低下（例えば、ある閾値より低下）を受けて、データ処理部７は、一対の電極３０ａ、３０ｂが確実に生体表面Ｂに接触していることの検出を行う。即ち、ＬＥＤ４及びＰＤ５を含む生体センサ部６が、確実に生体表面Ｂに接触していることを検出する。
【００４４】
ＬＥＤ４及びＰＤ５が生体表面Ｂに接触していることを検出すると、データ処理部７は、ＬＥＤ４から生体に向けて光を照射させる。この際、ＬＥＤ４とＰＤ５との間には遮蔽板２７が配されているので、照射された光の一部がＰＤ５に入射することはない。つまり、照射された光は、生体に向けて確実に照射される。
【００４５】
照射された光は、生体内で脂肪や筋といった組織や血液により吸収および散乱され、照射された光の一部が後方散乱光としてＰＤ５で検出される。検出される光は、脈動による血液量の変化に伴い変動する。ＰＤ５は、この後方散乱光を受光すると共に受光量の変化に応じた脈拍信号（生体情報信号）を生成して、データ処理部７に出力する。つまり、手首Ａ（生体）内部の動脈及び細動脈内の血流変動に応じて、ＬＥＤ４から照射された光の後方散乱光の光量が変動するので、ＰＤ５は、動脈の脈動、即ち、脈波に応じた後方散乱光の受光が行える。これにより、ＰＤ５は、脈拍信号の生成が行える。
【００４６】
この際、上述したように、ＬＥＤ４から照射された光は、ＰＤ５に直接入射することはなく、確実に生体に向けて照射されているので、ＰＤ５は生体からの後方散乱光を集中的に集光する。よって、ノイズ等を抑えることができ、Ｓ／Ｎ比の向上を図ることができる。
【００４７】
データ処理部７は、送られてきた脈拍信号を増幅した後に、ＦＦＴ処理等の所定処理をした後、解析を行なって脈拍数を算出する。この算出された脈拍数は、上述したように、ノイズ等の影響が低下した脈拍信号に基づいて算出されているので、より正確な値となる。そして、データ処理部７は、算出した脈拍数をメモリ１４に記録すると共に各ボタン２０操作に基づいて表示部１１に表示させる。
【００４８】
使用者は、必要時に各ボタン２０を押下することで、容易に算出された脈拍数を表示部１１に表示させて確認が行えるので、使用に関して簡便である。また、使用者は、各ボタン２０の操作により、脈拍数以外のその他の情報、例えば、時刻や充電池１３の残電力等についても表示部１１により確認することができるので使い易い。
【００４９】
また、屋外などで使用し、生体表面に強い直射日光を浴びている場合には、手首Ａの皮膚表面や生体組織中の伝搬だけでは十分な減衰量を得ることが出来ないまま生体組織中を生体センサ部６に向かって行くが、図７に示すように、ハウジング２の下面２ｂに形成された反射溝３５によって外光が生体センサ部６に入射することを防止することができる。  
【００５０】
即ち、生体組織中を伝搬して外縁部２ｃから入射した光は、まず、最も外縁部２ｃ側に形成された反射面３６によって再び外縁部２ｃに向けて反射されるので、光強度が低下する。この最初の反射面３６を通過した光は、次の反射面３６にて同様に外縁部２ｃ側に向けて反射される。このように、反射面３６が生体センサ部６を中心として複数形成されているので、外縁部２ｃから中心に向かって段階的に外光の光強度が低下する。従って、生体センサ部６に外光が直接的に入射することを極力防止することができる。つまり、ＰＤ５に外光が直接的に入射することを極力防止することができる。
【００５１】
従って、外光の影響をなくし、Ｓ／Ｎ比の向上を図ることができ、脈拍数を精度良く算出することができる。
【００５２】
また、充電池１３に電力を充電する場合には、例えば、充電器に接続されている充電コード等を外部接続端子２１に接続することで充電を行うことができ、通常の電池を別個に用意する必要はない。従って、維持経費の削減を図ることができる。なお、ハウジング２内に音声を出力するブザー等の音声出力手段を設けて、充電池１３の充電量が“０”に近くなるまで減少した場合に、音声を出力させて充電時期（充電タイミング）を知らせるように構成しても構わない。
【００５３】
以上説明したように、本実施形態の生体情報計測装置１によれば、脈拍数の算出の際、ＬＥＤ４とＰＤ５との間に光遮蔽板２７が設けられているので、ＬＥＤ４から照射された光は、ＰＤ５に直接入射することがなく、確実に生体に向けて照射される。従って、ＰＤ５は、生体からの後方散乱光を集中的に受光できるので、Ｓ／Ｎの向上が図れ、より正確に脈拍数の算出を行うことができる。
【００５４】
なお、本発明の技術範囲は上記実施の形態に限定されるものではなく、本発明の趣旨を逸脱しない範囲において種々の変更を加えることが可能である。
【００５５】
例えば、上記実施形態では、反射溝は、生体センサ部を中心として円形に形成された反射面を半径方向に複数有するように構成したが、複数ではなく１つでも構わない。また、反射面は、生体センサ部を中心とする円形に形成されたが、円形に限られるものではない。例えば、生体センサ部を中心として螺旋状に反射面を形成しても構わない。この場合には、上記実施形態と同様に作用効果を奏することに加え、ハウジングの下面に反射溝を形成し易い。
【００５６】
また、ハウジングの下面を、該下面と生体表面との間に入射してくる外光を反射率１０％以下で反射させる黒色部材で形成しても構わない。この場合には、外光がハウジングの下面で反射する毎に、光強度が低下するので、反射溝と組み合わせることでより確実に外光が生体センサ部に直接的に入射することを防止でき、好適である。
【００５７】
また、上記実施形態においては、生体情報として脈拍数を例にして説明したが、脈拍数に限らず、生体情報であれば構わない。
【００５８】
また、ハウジングに、他の電子機器との間で無線通信可能な無線通信手段等の機能を付加しても良い。こうすることで、Ｂｌｕｅｔｏｏｔｈ等の無線通信により、メモリに記録した脈拍数を外部の電子機器にデータ送信したり、各種情報をメモリに入手させることができる。
【図面の簡単な説明】
【００５９】
【図１】本発明に係る生体情報計測装置の一実施形態を示す正面図である。
【図２】図１に示す生体情報計測装置の背面図である。
【図３】図１に示す生体情報計測装置を手首に装着した状態を示す側面図である。
【図４】図１に示す生体情報計測装置を手首に装着した状態を示す側面図であり、図３に示す方向とは逆方向から見た図である。
【図５】図３に示す生体情報計測装置の断面矢視Ｃ−Ｃ図である。
【図６】図１に示す生体情報計測装置の断面矢視Ｄ−Ｄ図である。
【図７】図１に示す生体情報計測装置に形成された反射溝の拡大断面図である。
【符号の説明】
【００６０】
Ｂ    生体表面
１    生体情報計測装置
２    ハウジング（本体）
２ａ  本体の下面
２ｃ    外縁部
３    固定手段
４    ＬＥＤ（光発光部）
５    ＰＤ（光受光部）  
６    生体センサ部
７    データ処理部（生体情報演算部）
２７    光遮蔽部
３５    反射溝
３６    反射面
【図１】
2005270545.tif 000003
【図２】
2005270545.tif 000004
【図３】
2005270545.tif 000005
【図４】
2005270545.tif 000006
【図５】
2005270545.tif 000007
【図６】
2005270545.tif 000008
【図７】
2005270545.tif 000009